(57)【特許請求の範囲】
【請求項１】
ユーザが送信した撮影画像を取得する撮影画像取得部と、
前記撮影画像中に人物が写っているか否かを判定する人物判定部と、
前記人物判定部により人物が写っていると判定されると、当該人物のポーズが予め定めたポーズか否かを判定するポーズ判定部と、
前記撮影画像中に基準画像が写っているか否かを判定する基準画像判定部と、
前記人物判定部、前記ポーズ判定部および前記基準画像判定部の判定結果に応じた量または数のクーポンを、前記撮影画像を送信したユーザに配信するクーポン配信部と、を備えるクーポン配信装置。
【請求項２】
前記クーポン配信部は、前記人物判定部、前記ポーズ判定部および前記基準画像判定部の各判定結果に優先順位を付けて、優先順位に応じた量または数のクーポンを配信する請求項１に記載のクーポン配信装置。
【請求項３】
前記ポーズ判定部は、前記撮影画像中の人物のポーズが、予め定めた複数種類の参照ポーズのいずれかに合致するか否かを判定し、
前記クーポン配信部は、前記撮影画像中の人物のポーズと合致する前記参照ポーズの種類に応じた量または数のクーポンを、前記撮影画像を送信したユーザに送信する請求項１または２に記載のクーポン配信装置。
【請求項４】
前記撮影画像中の予め定めた領域内に人物が写っているか否かを判定する人物位置判定部をさらに備え、
前記クーポン配信部は、前記人物位置判定部の判定結果に応じた量または数のクーポンを、前記撮影画像を送信したユーザに配信する請求項１乃至３のいずれかに記載のクーポン配信装置。
【請求項５】
前記撮影画像中の予め定めた領域内に基準画像が写っているか否かを判定する基準画像位置判定部をさらに備え、
前記クーポン配信部は、前記基準画像位置判定部の判定結果に応じた量または数のクーポンを、前記撮影画像を送信したユーザに配信する請求項１乃至４のいずれかに記載のクーポン配信装置。
【請求項６】
前記撮影画像中の基準画像のサイズが予め定めたサイズより大きいか否かを判定する基準画像サイズ判定部をさらに備え、
前記クーポン配信部は、前記基準画像サイズ判定部の判定結果に応じた量または数のクーポンを、前記撮影画像を送信したユーザに配信する請求項１乃至５のいずれかに記載のクーポン配信装置。
【請求項７】
ユーザが所持する端末装置と、クーポン配信装置とを備えたクーポン配信システムにおいて、
前記端末装置は、
撮像部と、
前記クーポン配信装置との間で情報の送受を行う通信部と、を有し、
前記クーポン配信装置は、
前記撮像部で撮影されて前記通信部から送信された撮影画像を取得する撮影画像取得部と、
前記撮影画像中に人物が写っているか否かを判定する人物判定部と、
前記人物判定部により人物が写っていると判定されると、当該人物のポーズが予め定めたポーズか否かを判定するポーズ判定部と、
前記撮影画像中に基準画像が写っているか否かを判定する基準画像判定部と、
前記人物判定部、前記ポーズ判定部および前記基準画像判定部の判定結果に応じた量または数のクーポンを、前記撮影画像を送信した前記端末装置に配信するクーポン配信部と、を有するクーポン配信システム。
【請求項８】
前記撮影画像中に写っている人物のポーズ、人物の写っている位置、基準画像の種類、および基準画像の写っているサイズに関する情報と、前記人物判定部、前記ポーズ判定部および前記基準画像判定部の判定結果に対応するクーポンの量または数に関する情報とを前記クーポン配信装置に提供するクーポン情報提供装置をさらに備える請求項７に記載のクーポン配信システム。
【発明の詳細な説明】
【技術分野】
【０００１】
本発明は、電子的なクーポンをネットワーク経由で配信するクーポン配信装置およびクーポン配信システムに関する。
【背景技術】
【０００２】
電子的なクーポンをネットワーク経由で配信するシステムが実用化されている。クーポンは、主に販売促進策などとして用いられており、例えば、特許文献１には、広告画像を携帯端末のカメラで直接撮影した撮影画像をサーバに送信し、サーバでこの撮影画像を受信して、広告画像を直接撮影したものであることがわかると、携帯端末にクーポン券を配信する技術が開示されている。
【０００３】
また、特許文献２には、コンテンツの提供先への接続回数が予め定めた回数に達するたびに、クーポン券コンテンツを配信する技術が開示されている。
【０００４】
このように、クーポンを配信する条件はさまざまであるが、販売促進につながるような条件を設定して、この条件を満たすとクーポンを配信するシステムが多い。
【先行技術文献】
【特許文献】
【０００５】
【特許文献１】特開平２００８−４７０１５号公報
【特許文献２】特許第５０９６８４１号公報
【発明の概要】
【発明が解決しようとする課題】
【０００６】
クーポンは、販売促進に利用されるだけでなく、例えば観光地等の特定の場所への来訪を促進する目的などにも利用可能である。クーポンを配信する種々の従来のシステムでは、それぞれ趣向を凝らした条件を設けてクーポンを配信しているが、特定の場所への来訪者数を増やすには、販売促進を目的としたクーポンの配信とは異なる条件を設定して、クーポンを配信するのが望ましい。
【０００７】
クーポンの金銭的な価値を高めれば、クーポンの配信を希望する人間の数を容易に増やせるが、コストがかかるため、単にクーポンの金銭的価値を高めることが望ましいとは言えない。できるだけコストをかけずに、クーポンの配信を希望する人間の数を増やすには、例えば、ユーザが楽しみながら、クーポンを受け取れるようにすることが考えられる。楽しみながらクーポンを受け取ることができれば、多数のユーザがクーポンの配信を希望することになり、特定の場所への来訪者を増やせる可能性がある。
【０００８】
本発明が解決しようとする課題は、クーポンの配信を希望する者の数を増やして、特定の場所への来訪者増加や販売促進などを図ることが可能なクーポン配信装置およびクーポン配信システムを提供することである。
【課題を解決するための手段】
【０００９】
上記の課題を解決するために、本発明の一態様では、ユーザが送信した撮影画像を取得する撮影画像取得部と、
前記撮影画像中に人物が写っているか否かを判定する人物判定部と、
前記人物判定部により人物が写っていると判定されると、当該人物のポーズが予め定めたポーズか否かを判定するポーズ判定部と、
前記撮影画像中に基準画像が写っているか否かを判定する基準画像判定部と、
前記人物判定部、前記ポーズ判定部および前記基準画像判定部の判定結果に応じた量または数のクーポンを、前記撮影画像を送信したユーザに配信するクーポン配信部と、を備えるクーポン配信装置が提供される。
【００１０】
前記クーポン配信部は、前記人物判定部、前記ポーズ判定部および前記基準画像判定部の各判定結果に優先順位を付けて、優先順位に応じた量または数のクーポンを配信してもよい。
【００１１】
前記ポーズ判定部は、前記撮影画像中の人物のポーズが、予め定めた複数種類の参照ポーズのいずれかに合致するか否かを判定し、
前記クーポン配信部は、前記撮影画像中の人物のポーズと合致する前記参照ポーズの種類に応じた量または数のクーポンを、前記撮影画像を送信したユーザに送信してもよい。
【００１２】
前記撮影画像中の予め定めた領域内に人物が写っているか否かを判定する人物位置判定部をさらに備え、
前記クーポン配信部は、前記人物位置判定部の判定結果に応じた量または数のクーポンを、前記撮影画像を送信したユーザに配信してもよい。
【００１３】
前記撮影画像中の予め定めた領域内に基準画像が写っているか否かを判定する基準画像位置判定部をさらに備え、
前記クーポン配信部は、前記基準画像位置判定部の判定結果に応じた量または数のクーポンを、前記撮影画像を送信したユーザに配信してもよい。
【００１４】
前記撮影画像中の基準画像のサイズが予め定めたサイズより大きいか否かを判定する基準画像サイズ判定部をさらに備え、
前記クーポン配信部は、前記基準画像サイズ判定部の判定結果に応じた量または数のクーポンを、前記撮影画像を送信したユーザに配信してもよい。
【００１５】
本発明の他の一態様では、ユーザが所持する端末装置と、クーポン配信装置とを備えたクーポン配信システムにおいて、
前記端末装置は、
撮像部と、
前記クーポン配信装置との間で情報の送受を行う通信部と、を有し、
前記クーポン配信装置は、
前記撮像部で撮影されて前記通信部から送信された撮像画像を取得する撮影画像取得部と、
前記撮影画像中に人物が写っているか否かを判定する人物判定部と、
前記人物判定部により人物が写っていると判定されると、当該人物のポーズが予め定めたポーズか否かを判定するポーズ判定部と、
前記撮影画像中に基準画像が写っているか否かを判定する基準画像判定部と、
前記人物判定部、前記ポーズ判定部および前記基準画像判定部の判定結果に応じた量または数のクーポンを、前記撮影画像を送信した前記端末装置に配信するクーポン配信部と、を有するクーポン配信システムが提供される。
【００１６】
前記撮影画像中に写っている人物のポーズ、人物の写っている位置、基準画像の種類、および基準画像の写っているサイズに関する情報と、前記人物判定部、前記ポーズ判定部および前記基準画像判定部の判定結果に対応するクーポンの量または数に関する情報とを前記クーポン配信装置に提供するクーポン情報提供装置をさらに備えてもよい。
【発明の効果】
【００１７】
本発明によれば、クーポンの配信を希望する者の数を増やして、特定の場所への来訪者増加や販売促進などを図ることができる。
【図面の簡単な説明】
【００１８】
【図１】本発明の一実施形態によるクーポン配信システム１の概略構成を示すブロック図。
【図２】図１のクーポン配信システム１の処理動作の一例を示すフローチャート。
【図３】クーポン配信装置３の処理動作の一例を示すフローチャート。
【図４】人物のポーズの代表例を示す図。
【図５】撮影画像を複数の領域Ｒ１〜Ｒ４に仮想的に分割する例を示す図。
【図６】図３の処理を行った結果をまとめた図。
【発明を実施するための形態】
【００１９】
以下、図面を参照して本発明の実施形態を説明する。以下の実施形態では、クーポン配信装置およびクーポン配信システム内の特徴的な構成および動作を中心に説明するが、クーポン配信装置およびクーポン配信システムには以下の説明で省略した構成および動作が存在しうる。ただし、これらの省略した構成および動作も本実施形態の範囲に含まれるものである。
【００２０】
図１は本発明の一実施形態によるクーポン配信システム１の概略構成を示すブロック図である。図１のクーポン配信システム１は、端末装置２と、クーポン配信装置３と、クーポン情報提供装置４とを備えている。端末装置２、クーポン配信装置３およびクーポン情報提供装置４は、ネットワーク５を介して、各種情報を送受する。ネットワーク５とは、例えば無線ネットワークであり、無線ネットワークで送受される無線信号の具体的な無線方式は問わない。すなわち、セルラー通信、無線ＬＡＮ、Ｂｌｕｅｔｏｏｔｈ（登録商標）、ＮＦＣ（Near Field Communication）など、各種の無線方式が適用可能である。また、クーポン配信装置３とクーポン情報提供装置４とは、有線で情報の送受を行ってもよい。さらに、クーポン配信装置３とクーポン情報提供装置４は、例えば一つのサーバに統合してもよい。
【００２１】
端末装置２は、クーポンの提供を受けるユーザが所持する装置であり、具体的には、携帯電話やスマートフォン、タブレット端末などの、撮像部１１を備えた携帯端末である。ユーザは、クーポンの提供を受けるに当たって、クーポン配信システム１に会員登録をするようにしてもよいし、会員登録なしでクーポンの提供を受けられるようにしてもよい。
【００２２】
端末装置２は、撮像部１１と、画像記憶部１２と、第１通信部１３と、クーポン記憶部１４と、表示部１５とを有する。画像記憶部１２は、撮像部１１で撮影された撮影画像を記憶する。第１通信部１３は、所定の無線方式にて無線通信を行う。端末装置２内には、それぞれ異なる無線方式に対応した複数の通信部が設けられる場合があるが、本実施形態では、総称して第１通信部１３と呼ぶ。
【００２３】
クーポン記憶部１４は、クーポン配信装置３から送信されて、第１通信部１３で受信されたクーポンを記憶する。本実施形態におけるクーポンとは、クーポン配信装置３から配信される割引券や優待券、引換券、入場券などの電子的なクーポンであり、必ずしも換金性のあるクーポンに限定されない。
【００２４】
クーポン配信装置３は、第２通信部２１と、撮影画像取得部２２と、人物判定部２３と、ポーズ判定部２４と、基準画像判定部２５と、クーポン配信部２６とを有する。
【００２５】
第２通信部２１は、端末装置２内の第１通信部１３との間で、ネットワーク５を介して無線信号を送受する。
【００２６】
撮影画像取得部２２は、ユーザが送信した撮影画像を取得する。人物判定部２３は、撮影画像中に人物が写っているか否かを判定する。ポーズ判定部２４は、人物判定部２３により人物が写っていると判定されると、人物のポーズが予め定めたポーズか否かを判定する。基準画像判定部２５は、撮影画像中に予め定めた基準画像が写っているか否かを判定する。クーポン配信部２６は、人物判定部２３、ポーズ判定部２４および基準画像判定部２５の判定結果に応じた量または数のクーポンを、撮影画像を送信したユーザに配信する。ここで、クーポンの量とは、例えばクーポンにより得られる商品やサービスの割引率の大小である。あるいは、クーポンの量は、クーポンにより得られる商品やサービスの種別でもよい。また、クーポンの数とは、一定の割引率等の同じ価値を持つクーポンの枚数である。
【００２７】
クーポン配信装置３は、撮影画像中に人物が写っているか否かと、人物のポーズが予め定めたポーズか否かと、撮影画像中に予め定めた基準画像が写っているか否かとで、配信するクーポンの量または数を決定する。どのような基準画像とともに、どのようなポーズで人物を撮影すれば、どの程度のクーポンをもらえるかを示すクーポン配信情報を、予め端末装置２のユーザに知らせておく必要がある。クーポン配信装置３は、クーポン配信情報を例えばＥメールで各端末装置２に送信してもよいし、クーポン配信装置３が管理するホームページ上にクーポン配信情報を掲載してもよいし、口コミ等で各ユーザに知らせてもよい。クーポンの配信条件をユーザに文字情報だけで伝えるのは、ユーザに理解しにくいため、クーポンをもらえる撮影画像の見本の画像などをホームページ等で提示するのが望ましい。
【００２８】
クーポン情報提供装置４は、撮影画像中に写っている人物のポーズ、人物の写っている位置、基準画像の種類、および基準画像の写っているサイズに関する情報と、人物判定部２３、ポーズ判定部２４および基準画像判定部２５の判定結果に対応するクーポンの量または数に関する情報とをクーポン配信装置３に提供する。
【００２９】
また、クーポン情報提供装置４は、ユーザからの要求に応じて、ユーザの端末装置２に、クーポンの配信を受けられるようにするアプリケーションソフトウェアを送信してもよい。
以下では、クーポン配信装置３が定めた基準画像の位置およびサイズと、クーポン配信装置３が定めた人物の位置およびポーズとによって、配信を受けられるクーポンの量または数が異なることを予め端末装置２のユーザが把握しているものとする。
【００３０】
クーポンの配信を希望する端末装置２のユーザは、クーポン配信装置３が定める位置およびサイズの基準画像が写るように、かつ、この基準画像をクーポン配信装置３が定めるポーズおよび位置に置かれた人物とともに撮影した撮影画像を、端末装置２の第１通信部１３を介してクーポン配信装置３に送信する。この撮影画像を受信したクーポン配信装置３は、撮影画像を分析して、撮影画像を送信した端末装置２にクーポンを配信するか否かを決定する。
【００３１】
なお、端末装置２が撮影する人物は、端末装置２のユーザ自身であってもよいし、他人であってもよい。
【００３２】
図２は図１のクーポン配信システム１の処理動作の一例を示すフローチャートである。まず、ユーザは、自身の端末装置２からクーポン情報提供装置４にアクセスし、クーポンの配信を受けるためのアプリケーションソフトウェア（図面ではアプリと略称する）を要求する（ステップＳ１）。この要求を受けて、クーポン情報提供装置４は、場合によってはユーザに事前登録を促し、準備が整うと、このアプリケーションソフトウェアをユーザがダウンロードできるようにする（ステップＳ２）。そして、ユーザは、アプリケーションソフトウェアを端末装置２にダウンロードして、実行させる（ステップＳ３）。
【００３３】
ユーザは、実行したアプリケーションソフトウェアの指示画面に応じて、人物のポーズと基準画像とを決定する（ステップＳ４）。
【００３４】
このステップＳ４に前後して、クーポン情報提供装置４は、撮影画像中に写っている人物のポーズ、人物の写っている位置、基準画像の種類、および基準画像の写っているサイズに関する情報と、人物判定部２３、ポーズ判定部２４および基準画像判定部２５の判定結果に対応するクーポンの量または数に関する情報とをクーポン配信装置３に提供する（ステップＳ５）。図２では、これらの情報をまとめてクーポン情報と呼んでいる。ステップＳ１〜Ｓ５は、一度だけ処理を行えばよく、二度目以降は、省略してもよい。
【００３５】
ユーザは、ステップＳ４で決定した基準画像とともに、特定のポーズを取った人物を端末装置２で撮影する（ステップＳ６）。ユーザは、撮影画像を端末装置２からクーポン配信装置３に送信する（ステップＳ７）。このとき、各撮影画像には、固有の識別情報を付加して送信するのが望ましい。
【００３６】
クーポン配信装置３は、端末装置２からの撮影画像を受信し（ステップＳ８）、受信した撮影画像をパターンマッチング等により分析して（ステップＳ９）、配信すべきクーポンの量や数を決定する（ステップＳ１０）。本実施形態では、配信すべきクーポンの量や数をクーポンレベルで判断する。次に、クーポン配信装置３は、撮影画像とクーポンレベルとを対応づけて、撮影画像を送信した端末装置２に、対応するクーポンレベルのクーポンを配信する（ステップＳ１１）。このクーポンを受信した端末装置２は、クーポン記憶部１４に記憶する（ステップＳ１２）。クーポン記憶部１４に記憶されたクーポンは、必要に応じて端末装置２の表示画面に表示される。端末装置２の表示画面には、クーポンレベルを把握できるような表示態様でクーポンが表示されるため、店舗等でユーザは表示画面を提示することで、割引等を受けられることになる。
【００３７】
また、クーポンを取得したユーザは、必要に応じて、クーポンを取得するのに用いた撮影画像に関する情報を、知り合いに送信してもよい（ステップＳ１３）。この知り合いは、事前にアプリケーションソフトウェアを取得していてもよいし、あるいは、ステップＳ１１で撮影画像に関する情報を最初に受信したときに、アプリケーションソフトウェアをクーポン情報提供装置４からダウンロードしてもよい。
【００３８】
ここで、撮影画像に関する情報とは、撮影画像そのものでもよいし、撮影画像の識別情報でもよいし、撮影画像に写し込まれている一部の画像（例えば、基準画像）でもよいし、撮影画像に写し込まれた基準画像の種類、撮影位置、およびサイズなどの情報でもよいし、人物のポーズ、撮影位置、およびサイズなどの情報でもよい。
【００３９】
ユーザの知り合いは、自身の端末装置２で、アプリケーションソフトウェアを実行して、ユーザから送信された撮影画像に関する情報を確認し（ステップＳ１４）、クーポンを取得したければ、その撮影画像に関する情報をクーポン配信装置３に送信する（ステップＳ１５）。撮影画像に関する情報を受信したクーポン配信装置３は、受信した情報を確認し（ステップＳ１６）、クーポンレベルを決定して（ステップＳ１７）、決定したクーポンレベルに対応するクーポンを、ユーザの知り合いの端末装置２に配信する（ステップＳ１８）。ユーザの知り合いは、配信されたクーポンを取得する（ステップＳ１９）。
【００４０】
ユーザが配信を受けるクーポンと、ユーザの知り合いが配信を受けるクーポンとは、クーポンレベルが同じでもよいし、異なっていてもよい。このように、クーポンの配信を受けたユーザだけでなく、ユーザの知り合いも、ユーザからの紹介でクーポンの配信を受けられるようにすれば、クーポンの存在が口コミで広がっていくことになり、広告宣伝費用をかけなくても、クーポンによる販売促進などを図ることができる。
【００４１】
図３はクーポン配信装置３の処理動作の一例を示すフローチャートである。このフローチャートは、配信すべきクーポンの量または数を数値化して、加点減点方式でクーポンの量または数を決定するものである。図３の処理を開始する段階では、予め定めた初期状態のクーポン点数が与えられる。
【００４２】
まず、クーポン配信装置３の人物判定部２３は端末装置２から送信された撮影画像中に人物が写っているか否かを判定する（ステップＳ２１）。撮影画像中に人物が写っているか否かは、例えば公知の顔認識機能を利用して判断してもよいし、顔だけでなく、人間の胴体の特徴的な形状に基づいてパターンマッチングの手法により判断してもよい。
【００４３】
ステップＳ２１で撮影画像中に人物が写っていると判定されると、例えばクーポン点数を＋１点加点する（ステップＳ２２）。
【００４４】
ステップＳ２２の処理の後に、ポーズ判定部２４は撮影画像中の人物のポーズが予め定めた正しいポーズであるか否かを判定する（ステップＳ２３）。このステップＳ２３では、人物の身体の各部位を支点として、各支点の位置関係から人物のポーズを判断する。
【００４５】
図４は人物のポーズの代表例を示す図である。図４には、４つのポーズｐ１〜ｐ４が示されている。ポーズｐ１〜ｐ３は、人物の頭、胴体、足、手にそれぞれ支点を設定し、各支点を結ぶ線の方向により、ポーズを決定する例を示している。手や足には関節があるため、ポーズｐ４に示すように、各関節に支点を設定して、各支点を結ぶ線の方向によりポーズを決定してもよい。
【００４６】
ステップＳ２３で、予め定めたポーズであると判定されると、例えばクーポン点数を＋１点加点する（ステップＳ２４）。なお、複数のポーズに、それぞれ異なるクーポン加算点数を割り振ってもよい。例えば、図４のポーズｐ１には＋１点、ポーズｐ２には＋２点、ポーズｐ３には＋３点、ポーズｐ４には＋４点を加点するようにしてもよい。
【００４７】
ステップＳ２４の処理の後に、ポーズ判定部２４は撮影画像中の人物が予め定めた正しい位置に写っているか否かを判定する（ステップＳ２５）。このステップＳ２５は人物位置判定部に該当する。このステップＳ２５では、例えば図５に示すように、撮影画像を複数の領域Ｒ１〜Ｒ４に仮想的に分割し、どの領域に人物が写っているかを検出する。そして、予め定めた領域に人物が写っている場合には、例えばクーポン点数を＋１点加点する（ステップＳ２６）。
【００４８】
なお、図５では、撮影画像を４つの領域Ｒ１〜Ｒ４に分割する例を示したが、人物の撮影位置を判断するための領域の数には特に制限はない。また、人物が写っている領域に優先順位を付けて、人物が写っている領域に応じて、クーポン点数を相違させてもよい。
【００４９】
ステップＳ２３で撮影画像中の人物のポーズが予め定めたポーズでないと判定されると、例えばクーポン点数を−５点減点する（ステップＳ２７）。また、ステップＳ２５で撮影画像中の人物が予め定めた位置に写っていないと判定されると、例えばクーポン点数を−２点減点する（ステップＳ２８）。
【００５０】
ステップＳ２６〜Ｓ２８のいずれかの処理の後に、基準画像判定部２５は撮影画像中に基準画像が写っているか否かを判定する（ステップＳ２９）。ここで、基準画像とは、人物の背景に写る背景画像、人物の前景に写る前景画像、人物とともに写る象徴画像などである。象徴画像とは、特定の建造物、自然物および動物でもよいし、これらの銅像などの、特定の場所に関連する象徴的な画像である。より具体的な一例としては、基準画像は、ある観光地の特徴的な建造物、風景、特産物、特定人物の銅像などである。
【００５１】
ステップＳ２９で撮影画像中に基準画像が写っていないと判定されると、例えばクーポン点数を−５点減点する（ステップＳ３０）。図３では、ステップＳ２９で撮影画像中に基準画像が写っていると判定されたときに、クーポン点数の加点を行っていないが、加点を行ってもよい。
【００５２】
ステップＳ２９で撮影画像中に基準画像が写っていると判定されると、次に、基準画像判定部２５は撮影画像中の基準画像が予め定めた正しい位置に写っているか否かを判定する（ステップＳ３１）。このステップＳ３１は基準画像位置判定部に該当する。ここでは、例えば図５と同様に、撮影画像を複数の領域に分けて、どの領域に基準画像に写っているかを検出する。ステップＳ８では、撮影画像中の基準画像が予め定めた位置に写っているか否かの２通りの判断を行ってもよいし、撮影画像中に設定された複数の領域に優先順位を付けて、どの領域に基準画像が写っているかによって、それぞれ異なるクーポン点数を割り振ってもよい。
【００５３】
ステップＳ３１で撮影画像中の予め定めた位置に基準画像が写っていないと判定されると、例えばクーポン点数を−２点減点する（ステップＳ３２）。図３では、ステップＳ３１で撮影画像中の予め定めた位置に基準画像が写っていると判定されたときに、クーポン点数の加点を行っていないが、加点を行ってもよい。
【００５４】
ステップＳ３１で撮影画像中に基準画像が写っていると判定されると、次に、基準画像判定部２５は基準画像の撮影サイズが予め定めたサイズ以上か否かを判定する（ステップＳ３３）。このステップＳ３３は基準画像サイズ判定部に該当する。基準画像の撮影サイズが予め定めたサイズ未満であれば、例えばクーポン点数を−１点減点する（ステップＳ３４）。図３では、ステップＳ３３で撮影画像中の基準画像の撮影サイズが予め定めたサイズ以上であれば、クーポン点数の加点を行っていないが、加点を行ってもよい。
【００５５】
ステップＳ３３で撮影画像中の基準画像の撮影サイズが予め定めた所定サイズ以上と判定された場合、ステップＳ３０、Ｓ３２またはＳ３４の処理が終了すると、図３の処理が終了になる。
【００５６】
一方、ステップＳ２１で撮影画像中に人物が写っていないと判定されると、例えばクーポン点数を−１点減点する（ステップＳ３５）。次に、基準画像判定部２５は撮影画像中に基準画像が写っているか否かを判定する（ステップＳ３６）。撮影画像中に基準画像が写っていないと判定されると、例えばクーポン点数を−８点減点する（ステップＳ３７）。図３では、ステップＳ３６で撮影画像中に基準画像が写っていると判定されたときに、クーポン点数の加点を行っていないが、加点を行ってもよい。
【００５７】
ステップＳ３６で撮影画像中に基準画像が写っていると判定されると、次に、基準画像判定部２５は撮影画像中の基準画像が予め定めた正しい位置に写っているか否かを判定する（ステップＳ３８）。このステップＳ３８は基準画像位置判定部に該当する。ステップＳ３８で撮影画像中の予め定めた位置に基準画像が写っていないと判定されると、例えばクーポン点数を−５点減点する（ステップＳ３９）。図３では、ステップＳ３８で撮影画像中の予め定めた位置に基準画像が写っていると判定されたときに、クーポン点数の加点を行っていないが、加点を行ってもよい。
【００５８】
ステップＳ３８で撮影画像中に基準画像が写っていると判定されると、次に、基準画像判定部２５は基準画像の撮影サイズが予め定めたサイズ以上か否かを判定する（ステップＳ４０）。このステップＳ４０は基準画像サイズ判定部に該当する。基準画像の撮影サイズが予め定めたサイズ未満であれば、例えばクーポン点数を−２点減点する（ステップＳ４１）。図３では、ステップＳ４０で撮影画像中の基準画像の撮影サイズが予め定めたサイズ以上であれば、クーポン点数の加点を行っていないが、加点を行ってもよい。
【００５９】
ステップＳ４０で撮影画像中の基準画像の撮影サイズが予め定めたサイズ以上と判定された場合、ステップＳ３７、Ｓ３９またはＳ４１の処理が終了すると、図３の処理は終了になる。
【００６０】
クーポン配信装置３は、図３の処理によって決定されたクーポン点数に対応するクーポンを端末装置２に配信する。
【００６１】
図６は図３の処理を行った結果をまとめた図である。図６では、クーポン配信装置３から配信されるクーポンの量または数を、クーポンレベル１〜１０として表示している。クーポンレベルの値の大きい方が、クーポンの量または数が多いことを示している。図６のクーポン点数は、図３の処理によって加点または減点された最終的な点数である。
【００６２】
図３および図６に示すように、クーポンレベルおよびクーポン点数は、撮影画像中に人物が写っているか否かと、基準画像が写っているか否かとで、大きく２つに分けられる。また、撮影画像中に人物が写っている場合には、クーポンレベルおよびクーポン点数は、人物のポーズと写っている位置とによって、さらに細かく分けられる。さらに、撮影画像中に基準画像が写っている場合には、クーポンレベルおよびクーポン点数は、基準画像の写っている位置とサイズによって、さらに細かく分けられる。
【００６３】
図６では、撮影画像中に人物または基準画像が写っている場合、人物のポーズが予め定めたポーズである場合、人物または基準画像の写っている位置が予め定めた位置の場合、基準画像のサイズが予め定めたサイズの場合を○とし、それ以外を×としている。また、該当する条件がない場合は斜線で示している。
【００６４】
図６に示したクーポンレベルとクーポン点数の数値は一例であり、任意に変更しても構わない。また、図３と図６に示したクーポン点数を決定するための条件も一例であり、任意に変更して構わない。
【００６５】
図３および図６では、撮影画像中に人物が写っている場合、人物のポーズが予め定めたポーズか否かで５点の差を設け、人物の写っている位置が予め定めた位置か否かで２点の差を設けている。また、人物とともに基準画像が写っているか否かで５点の差を設け、基準画像の写っている位置が予め定めた位置か否かで２点の差を設け、基準画像のサイズが予め定めたサイズ以上か否かで１点の差を設けている。これは、各条件に優先順位を設けていることを示している。すなわち、人物のポーズが人物の写っている位置よりも優先順位が高いことを示している。同様に、基準画像の種類が最も優先順位が高く、次に基準画像の写っている位置が優先順位が高く、基準画像のサイズは最も優先順位が低いことを示している。これらの優先順位は一例であり、種々に優先順位を変更しても構わない。
【００６６】
また、クーポンレベルを決めるための各条件に優先順位を付けるかどうかは任意であり、優先順位は予め端末装置２のユーザに開示してもよいし、あえてユーザには優先順位を開示せず、ユーザが優先順位を自分で探り出すというゲーム的な要素を持たせてもよい。
【００６７】
図３の処理手順で決定されたクーポン点数に対応するクーポンは、どのような目的で用いられるものであってもよい。例えば、ある観光地における特徴的な建造物や自然物を基準画像として、この基準画像とともに端末装置２のユーザの人物像を撮影した撮影画像をユーザがクーポン配信装置３に送信した場合、クーポン配信装置３は、図３の処理手順に基づいてクーポン点数を決定し、そのクーポン点数に対応するクーポンをユーザに提供する。このクーポンは、例えば観光地の各種割引券や優待券などであってもよい。ユーザは、自分が撮影した撮影画像に写っている情報により、量や数の異なるクーポンの配信を受けられるため、量や数が最大のクーポンの配信を受けられるようにゲーム感覚で楽しみながら撮影を行うことになり、娯楽性を高めつつ、観光地の来訪者の数を増やしたり、クーポンを使って観光地で物やサービスを購入する人間の数を増やすことができる。
【００６８】
端末装置２のユーザに提供されたクーポンは、有効期限を設けてもよいし、設けなくてもよい。また、期間限定のクーポンと期間無制限のクーポンとを設けてもよい。さらに、クーポンは、量販店やクレジットカードなどが提供するポイントと同種のものであってもよい。
【００６９】
このように、本実施形態では、ユーザが撮影した撮影画像中に含まれる基準画像の種類、位置およびサイズと、同じ撮影画像中に含まれる人物の位置およびサイズとに基づいて、ユーザに配信するクーポンの量または数を決定するため、ユーザは、手軽にゲーム感覚で楽しみながら撮影画像を作製してクーポンを要求することができる。本実施形態によれば、例えば、撮影画像に写し込まれる基準画像を特定の場所と関連づけることで、特定の場所への来訪者の数を増やすことができる。また、特定の場所の店舗等に関連したクーポンを配信することで、店舗等の売上げ促進を図ることができる。
【００７０】
上述した実施形態で説明したクーポン配信装置３およびクーポン配信システム１の少なくとも一部は、ハードウェアで構成してもよいし、ソフトウェアで構成してもよい。ソフトウェアで構成する場合には、クーポン配信装置３およびクーポン配信システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７１】
また、クーポン配信装置３およびクーポン配信システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７２】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７３】
１  クーポン配信システム、２  端末装置、３  クーポン配信装置、４  クーポン情報提供装置、５  ネットワーク、１１  撮像部、１２  画像記憶部、１３  第１通信部、１４  クーポン記憶部、１５  表示部、２１  第２通信部、２２  撮影画像取得部、２３  人物判定部、２４  ポーズ判定部、２５  基準画像判定部、２６  クーポン配信部
【図１】
0006465385.tif 000002
【図２】
0006465385.tif 000003
【図３】
0006465385.tif 000004
【図４】
0006465385.tif 000005
【図５】
0006465385.tif 000006
【図６】
0006465385.tif 000007